(57)【要約】【課題】流し込み印刷に関して同じ印刷画像が一纏まりとなった順番で印刷されたラベルを得ることができるラベルデータ生成方法等を提供する。【解決手段】複数個の個別情報から成る情報リストから順次読み出された各個別情報に基づいた複数種の印刷画像を印刷してラベルを作成する流し込み印刷を設定する印刷設定ステップと、印刷部数を設定する印刷部数設定ステップと、複数種の印刷画像を印刷したラベルを、複数部ずつ作成するように、ラベルデータを生成するデータ生成ステップと、を備え、データ生成ステップにおいて、流し込み印刷によりそれぞれ複数部ずつ印刷される複数種の印刷画像に関して、同じ印刷画像を複数部ずつ一纏まりとした順番で印刷する流し非順序印刷を、ラベル作成装置が行うように、ラベルデータを生成する。【選択図】図１０
2014206859.tif 000002
【特許請求の範囲】
【請求項１】
ラベル作成装置が、ラベルデータに基づいて、テープ状部材に印刷画像を印刷してラベルを作成するための前記ラベルデータを生成するラベルデータ生成方法であって、
複数個の個別情報から成る情報リストから順次読み出された前記各個別情報に基づいた複数種の前記印刷画像を印刷して前記ラベルを作成する流し込み印刷を設定する印刷設定ステップと、
印刷部数を設定する印刷部数設定ステップと、
複数種の前記印刷画像を印刷した前記ラベルを、複数部ずつ作成するように、前記ラベルデータを生成するデータ生成ステップと、を備え、
前記データ生成ステップにおいて、前記流し込み印刷によりそれぞれ複数部ずつ印刷される複数種の前記印刷画像に関して、同じ前記印刷画像を複数部ずつ一纏まりとした順番で印刷する流し非順序印刷を、前記ラベル作成装置が行うように、前記ラベルデータを生成することを特徴とするラベルデータ生成方法。
【請求項２】
前記印刷設定ステップにおいて、さらに、前記テープ状部材のテープ幅より大きな前記印刷画像を、テープ幅方向に複数分割した分割印刷画像として前記テープ状部材に印刷する貼り合わせ印刷を設定し、
前記データ生成ステップにおいて、複数種の前記印刷画像について、同じ前記印刷画像が複数分割された前記ラベルを、複数部ずつ一纏まりとした順番で作成するように、前記ラベルデータを生成することを特徴とする請求項1に記載のラベルデータ生成方法。
【請求項３】
前記流し込み印刷により複数部ずつ印刷される複数種の前記印刷画像に関して、複数種の前記印刷画像を一纏まりとした順番で印刷する流し順序印刷を行うか、前記流し非順序印刷を行うか、を設定すると共に、前記貼り合わせ印刷により複数部ずつ印刷される複数個の前記分割印刷画像に関して、複数個の前記分割印刷画像を一纏まりとした順番で印刷する貼り合わせ順序印刷を行うか、同じ前記分割印刷画像を複数部ずつ一纏まりとした順番で印刷する貼り合わせ非順序印刷を行うか、を設定する順序印刷設定ステップを、さらに備え、
前記データ生成ステップにおいて、前記順序印刷設定ステップにおける設定結果に基づいて、前記流し順序印刷且つ前記貼り合わせ順序印刷を行う第１印刷処理と、前記流し非順序印刷且つ前記貼り合わせ順序印刷を行う第２印刷処理と、前記流し順序印刷且つ前記貼り合わせ非順序印刷を行う第３印刷処理と、前記流し非順序印刷且つ前記貼り合わせ非順序印刷を行う第４印刷処理と、のなかの１種の印刷処理を、前記ラベル作成装置が実施するように、前記ラベルデータを生成することを特徴とする請求項２に記載のラベルデータ生成方法。
【請求項４】
前記順序印刷設定ステップにおける設定結果に基づいて、４種の前記印刷処理にそれぞれ対応した、前記ラベルが印刷される順番を指標する４種の順番画像を、表示部に表示する表示ステップを、さらに備えることを特徴とする請求項３に記載のラベルデータ生成方法。
【請求項５】
前記ラベルデータを生成するラベルデータ生成装置が備えるコンピューターに、請求項１に記載のラベルデータ生成方法における各ステップを実行させるためのプログラム。
【請求項６】
ラベル作成装置が、ラベルデータに基づいて、テープ状部材に印刷画像を印刷してラベルを作成するための前記ラベルデータを生成するラベルデータ生成装置であって、
複数個の個別情報から成る情報リストから順次読み出された前記各個別情報に基づいた複数種の前記印刷画像を印刷して前記ラベルを作成する流し込み印刷を設定する印刷設定部と、
印刷部数を設定する印刷部数設定部と、
複数種の前記印刷画像を印刷した前記ラベルを、複数部ずつ作成するように、前記ラベルデータを生成するデータ生成部と、を備え、
前記データ生成部は、前記流し込み印刷によりそれぞれ複数部ずつ印刷される複数種の前記印刷画像に関して、同じ前記印刷画像を複数部ずつ一纏まりとした順番で印刷する流し非順序印刷を、前記ラベル作成装置が行うように、前記ラベルデータを生成することを特徴とするラベルデータ生成装置。
【請求項７】
請求項６に記載のラベルデータ生成装置と、
前記ラベル作成装置と、
を備えたことを特徴とするラベル作成システム。
【発明の詳細な説明】
【技術分野】
【０００１】
本発明は、テープ状部材に印刷画像を印刷し、印刷済み部分を切り離してラベルを作成するラベル作成装置に供給されるラベルデータを生成するためのラベルデータ生成方法、プログラム、ラベルデータ生成装置およびラベル作成システムに関するものである。
【背景技術】
【０００２】
従来、ラベル作成装置が、テープ状部材のテープ幅より大きな印刷画像を、テープ幅方向に分割した分割印刷画像としてテープ状部材に印刷する貼り合わせ印刷（拡大印刷）を行うように、ラベルデータを生成することが知られている（特許文献１参照）。この貼り合わせ印刷において、複数部の印刷を行う場合、一連の分割印刷画像を一まとまりとした順番で印刷する貼り合わせ順序印刷を行うか、同じ分割印刷画像を複数部ずつ一まとまりとした順番で印刷する貼り合わせ非順序印刷を行うかを、ユーザーに選択させ、その選択結果に基づいて、ラベルデータを生成する。また、ラベル作成装置が、複数の個別情報から成る情報リストから順次読み出された各個別情報に基づいて、印刷画像を印刷する流し込み印刷を行うように、ラベルデータを生成することも知られている（特許文献２参照）。
【先行技術文献】
【特許文献】
【０００３】
【特許文献１】特開平１１−１５７１３６号公報
【特許文献２】特開２００６−２６８３８８号公報
【発明の概要】
【発明が解決しようとする課題】
【０００４】
しかしながら、従来は、流し込み印刷において、各個別情報につき複数部ずつ印刷する場合に、複数種の印刷画像を一纏まりとした順番で印刷する流し順序印刷を行うように、ラベルデータを生成することしかできず、同じ印刷画像を一纏まりとした順番で印刷する流し非順序印刷を行うように、ラベルデータを生成することができなかった。したがって、ユーザーが、流し込み印刷に関して同じ印刷画像が一纏まりとなった順番で印刷されたラベルを得たい場合には、ラベル作成後に、自ら順番を並べ替える必要があった。
【０００５】
本発明は、流し込み印刷に関して同じ印刷画像が一纏まりとなった順番で印刷されたラベルを得ることができるラベルデータ生成方法、プログラム、ラベルデータ生成装置およびラベル作成システムを提供することを課題としている。
【課題を解決するための手段】
【０００６】
本発明のラベルデータ生成方法は、ラベル作成装置が、ラベルデータに基づいて、テープ状部材に印刷画像を印刷してラベルを作成するためのラベルデータを生成するラベルデータ生成方法であって、複数個の個別情報から成る情報リストから順次読み出された各個別情報に基づいた複数種の印刷画像を印刷してラベルを作成する流し込み印刷を設定する印刷設定ステップと、印刷部数を設定する印刷部数設定ステップと、複数種の印刷画像を印刷したラベルを、複数部ずつ作成するように、ラベルデータを生成するデータ生成ステップと、を備え、データ生成ステップにおいて、流し込み印刷によりそれぞれ複数部ずつ印刷される複数種の印刷画像に関して、同じ印刷画像を複数部ずつ一纏まりとした順番で印刷する流し非順序印刷を、ラベル作成装置が行うように、ラベルデータを生成することを特徴とする。
【０００７】
本発明のラベルデータ生成装置は、ラベル作成装置が、ラベルデータに基づいて、テープ状部材に印刷画像を印刷してラベルを作成するためのラベルデータを生成するラベルデータ生成装置であって、複数個の個別情報から成る情報リストから順次読み出された各個別情報に基づいた複数種の印刷画像を印刷してラベルを作成する流し込み印刷を設定する印刷設定部と、印刷部数を設定する印刷部数設定部と、複数種の印刷画像を印刷したラベルを、複数部ずつ作成するように、ラベルデータを生成するデータ生成部と、を備え、データ生成部は、流し込み印刷によりそれぞれ複数部ずつ印刷される複数種の印刷画像に関して、同じ印刷画像を複数部ずつ一纏まりとした順番で印刷する流し非順序印刷を、ラベル作成装置が行うように、ラベルデータを生成することを特徴とする。
【０００８】
この構成によれば、流し込み印刷によりそれぞれ複数部ずつ印刷される複数種の印刷画像に関して、同じ印刷画像を複数部ずつ一纏まりとした順番で印刷する流し非順序印刷を、ラベル作成装置が行うように、ラベルデータが生成される。このため、流し込み印刷に関して同じ印刷画像が一纏まりとなった順番で印刷されたラベルを得ることができる。
【０００９】
上記のラベルデータ生成方法において、印刷設定ステップにおいて、さらに、テープ状部材のテープ幅より大きな印刷画像を、テープ幅方向に複数分割した分割印刷画像としてテープ状部材に印刷する貼り合わせ印刷を設定し、データ生成ステップにおいて、複数種の印刷画像について、同じ印刷画像が複数分割されたラベルを、複数部ずつ一纏まりとした順番で作成するように、ラベルデータを生成することが好ましい。
【００１０】
この構成によれば、印刷設定ステップにおいて、流し込み印刷を設定すると共に貼り合わせ印刷を設定した場合に、流し込み印刷に関して同じ印刷画像が一纏まりとなった順番で印刷されたラベルを得ることができる。
【００１１】
この場合、流し込み印刷により複数部ずつ印刷される複数種の印刷画像に関して、複数種の印刷画像を一纏まりとした順番で印刷する流し順序印刷を行うか、流し非順序印刷を行うか、を設定すると共に、貼り合わせ印刷により複数部ずつ印刷される複数個の分割印刷画像に関して、複数個の分割印刷画像を一纏まりとした順番で印刷する貼り合わせ順序印刷を行うか、同じ分割印刷画像を複数部ずつ一纏まりとした順番で印刷する貼り合わせ非順序印刷を行うか、を設定する順序印刷設定ステップを、さらに備え、データ生成ステップにおいて、順序印刷設定ステップにおける設定結果に基づいて、流し順序印刷且つ貼り合わせ順序印刷を行う第１印刷処理と、流し非順序印刷且つ貼り合わせ順序印刷を行う第２印刷処理と、流し順序印刷且つ貼り合わせ非順序印刷を行う第３印刷処理と、流し非順序印刷且つ貼り合わせ非順序印刷を行う第４印刷処理と、のなかの１種の印刷処理を、ラベル作成装置が実施するように、ラベルデータを生成することが好ましい。
【００１２】
この構成によれば、順序印刷設定ステップにおいて、流し順序印刷および流し非順序印刷のいずれかを設定すると共に、貼り合わせ順序印刷および貼り合わせ非順序印刷のいずれかを設定し、その設定結果に基づいて、４種の印刷処理のなかの１種の印刷処理をラベル作成装置が実行するように、ラベルデータが生成される。このため、場合に応じて、流し順序印刷および流し非順序印刷のいずれかを設定すると共に、貼り合わせ順序印刷および貼り合わせ非順序印刷のいずれかを設定でき、その設定結果に応じた順番で印刷されたラベルを得ることができる。
【００１３】
この場合、順序印刷設定ステップにおける設定結果に基づいて、４種の印刷処理にそれぞれ対応した、ラベルが印刷される順番を指標する４種の順番画像を、表示部に表示する表示ステップを、さらに備えることが好ましい。
【００１４】
この構成によれば、順序印刷設定ステップにおける設定結果に基づいて、４種の印刷処理にそれぞれ対応した４種の順番画像が表示部に表示される。これにより、ユーザーが、順序印刷設定ステップにおける設定の結果、どのような順番でラベルが印刷されるのかを、容易に把握することができる。
【００１５】
本発明のプログラムは、ラベルデータを生成するラベルデータ生成装置が備えるコンピューターに、上記のラベルデータ生成方法における各ステップを実行させることを特徴とする。
【００１６】
この構成によれば、流し込み印刷によりそれぞれ複数部ずつ印刷される複数種の印刷画像に関して、同じ印刷画像を複数部ずつ一纏まりとした順番で印刷する流し非順序印刷を、ラベル作成装置が行うように、ラベルデータ生成装置がラベルデータを生成する。このため、流し込み印刷に関して同じ印刷画像が一纏まりとなった順番で印刷されたラベルを得ることができる。
【００１７】
本発明のラベル作成システムは、上記のラベルデータ生成装置と、ラベル作成装置と、を備えたことを特徴とする。
【００１８】
この構成によれば、上記のラベルデータ生成装置を備えたことで、流し込み印刷によりそれぞれ複数部ずつ印刷される複数種の印刷画像に関して、同じ印刷画像を複数部ずつ一纏まりとした順番で印刷する流し非順序印刷を行う。このため、流し込み印刷に関して同じ印刷画像が一纏まりとなった順番で印刷されたラベルを得ることができる。
【図面の簡単な説明】
【００１９】
【図１】本発明の一実施形態に係るラベル作成システムの構成図である。
【図２】ラベル作成システムの制御構成を示すブロック図である。
【図３】ラベル作成システムを構成するパソコンのディスプレイに表示される編集画面およびデータ作成画面を示す図である。
【図４】（ａ）はディスプレイに表示されるプリントダイアログにおいて、流し込み順序印刷が設定された状態を示す図、（ｂ）は（ａ）に示したプリントダイアログでの設定に基づいて作成されるラベルの順番を示す図である。
【図５】（ａ）はプリントダイアログにおいて、流し込み非順序印刷が設定された状態を示す図、（ｂ）は（ａ）に示したプリントダイアログでの設定に基づいて作成されるラベルの順番を示す図である。
【図６】ディスプレイに表示される新規作成画面を示す図である。
【図７】新規作成画面において貼り合わせ印刷が設定された場合の編集画面を示す図である。
【図８】（ａ）はプリントダイアログにおいて、貼り合わせ順序印刷が設定された状態を示す図、（ｂ）は（ａ）に示したプリントダイアログでの設定に基づいて作成されるラベルの順番を示す図である。
【図９】（ａ）はプリントダイアログにおいて、貼り合わせ非順序印刷が設定された状態を示す図、（ｂ）は（ａ）に示したプリントダイアログでの設定に基づいて作成されるラベルの順番を示す図である。
【図１０】（ａ）はプリントダイアログにおいて、流し込み順序印刷且つ貼り合わせ順序印刷が設定された状態を示す図、（ｂ）は（ａ）に示したプリントダイアログでの設定に基づいて作成されるラベルの順番を示す図である。
【図１１】（ａ）はプリントダイアログにおいて、流し込み非順序印刷且つ貼り合わせ順序印刷が設定された状態を示す図、（ｂ）は（ａ）に示したプリントダイアログでの設定に基づいて作成されるラベルの順番を示す図である。
【図１２】（ａ）はプリントダイアログにおいて、流し込み順序印刷且つ貼り合わせ非順序印刷が設定された状態を示す図、（ｂ）は（ａ）に示したプリントダイアログでの設定に基づいて作成されるラベルの順番を示す図である。
【図１３】（ａ）はプリントダイアログにおいて、流し込み非順序印刷且つ貼り合わせ非順序印刷が設定された状態を示す図、（ｂ）は（ａ）に示したプリントダイアログでの設定に基づいて作成されるラベルの順番を示す図である。
【発明を実施するための形態】
【００２０】
以下、添付の図面を参照して、本発明のラベルデータ生成方法、プログラム、ラベルデータ生成装置およびラベル作成システムに係る一実施形態について説明する。
【００２１】
図１に示すように、本実施形態のラベル作成システム１は、ラベルデータ生成装置としてのパソコン２と、ラベル作成装置３とから構成されている。パソコン２とラベル作成装置３とは、ケーブル４を介して接続されている。もちろん、パソコン２とラベル作成装置３とを、無線接続してもよく、ネットワーク（インターネットやローカルエリアネットワーク）を介して接続してもよい。
【００２２】
ラベル作成システム１では、パソコン２が、ユーザーからの入力に基づいて生成したラベルデータを、ラベル作成装置３に送信する。また、ラベル作成装置３が、パソコン２から受信したラベルデータに基づいて、テープ状部材５に印刷し、印刷済み部分を切り離してラベルＬ（図４等参照）を作成する。
【００２３】
パソコン２は、キーボード８、マウス９およびディスプレイ１０等を有する一般的なパーソナルコンピューターであり、ＣＤ−ＲＯＭ１１等の記録媒体に格納された専用アプリケーション１２およびプリンタードライバー１３（ラベルデータ生成プログラム）がインストールされている（図２参照）。なお、専用アプリケーション１２およびプリンタードライバー１３を、所定のサーバー（Ｗｅｂサイト）からダウンロードすることも可能である。
【００２４】
ラベル作成装置３は、カートリッジ１４が着脱可能に構成されている。カートリッジ１４は、テープ状部材５と、図示しないインクリボンと、プラテンローラーと、これらを収容したカートリッジケースとで構成されている。ラベル作成装置３は、パソコン２から受信したラベルデータに基づいて、カートリッジ１４からテープ状部材５をテープ排出口１５に向けて繰り出しつつ、印刷処理を行う。テープ状部材５の印刷済み部分は、テープ排出口１５の手前に設けられたテープカッター２６（図２参照）により切り離される。切り離されたテープ片がラベルＬとなる。なお、テープ状部材５は、例えば、剥離紙付きの粘着テープである。
【００２５】
次に、図２を参照し、ラベル作成システム１の制御構成について説明する。パソコン２は、上記のキーボード８、マウス９およびディスプレイ１０（表示部）のほか、ディスクドライブ１７と、パソコン側インターフェース１８と、ＣＰＵ１９（Central Processing Unit）と、ＲＡＭ２１（Random Access Memory）と、ＨＤＤ２２（Hard Disc Drive）と、これら各要素を接続する接続バス２３とを備えている。
【００２６】
ディスクドライブ１７は、ＣＤ−ＲＯＭ１１に格納されているデータを読み取るためのものであり、専用アプリケーション１２およびプリンタードライバー１３のインストールに用いられる。パソコン側インターフェース１８は、例えばＵＳＢ（Universal Serial Bus）インターフェースで構成されており、生成したラベルデータをラベル作成装置３に送信すると共に、各種コマンドやステータスなどの送受信に用いられる。
【００２７】
ＣＰＵ１９は、各種データの演算処理を行うことによって、パソコン２全体を制御する。ＲＡＭ２１は、ＣＰＵ１９が各種演算処理を行う際のワークエリアとして用いられる。
【００２８】
ＨＤＤ２２は、ＯＳ２０（Operating System）のほか、ＣＤ−ＲＯＭ１１から読み取った専用アプリケーション１２およびプリンタードライバー１３を記憶している。専用アプリケーション１２は、ラベル作成装置３で印刷する印刷画像を編集するためのテキストエディターであり、後述する編集画面３２等におけるユーザーの入力・編集操作を可能とする。プリンタードライバー１３（データ生成部）は、編集画面３２における編集結果、および後述するプリントダイアログ３６における印刷部数等の設定結果などに基づいて、ラベルデータを生成する。
【００２９】
一方、ラベル作成装置３は、送りモーター２４と、印刷ヘッド２５と、テープカッター２６と、カッターモーター２７と、装置側インターフェース２８と、制御部２９とを備えている。
【００３０】
送りモーター２４は、装着されたカートリッジ１４のプラテンローラーを回転駆動する。印刷ヘッド２５は、サーマル方式のものである。印刷ヘッド２５およびプラテンローラーが協働して、相互間に挟み込んだテープ状部材５およびインクリボンを繰り出して送りつつ、テープ状部材５に印刷を行う。テープカッター２６は、送られてきたテープ状部材５をテープ幅方向に切断する。カッターモーター２７は、テープカッター２６を切断動作させる。
【００３１】
装置側インターフェース２８は、ＵＳＢインターフェースなどにより構成され、パソコン２から送信されたラベルデータを受信すると共に、各種コマンドやステータスなどの送受信に用いられる。
【００３２】
制御部２９は、ＣＰＵ、ＲＯＭ（Read Only Memory）およびＲＡＭ等から成り、ラベル作成装置３の各部を制御する。ＲＯＭ内には、ＣＰＵが各種制御を行うための制御プログラムおよび制御情報を記憶している。制御プログラムとしては、パソコン２から送信されたラベルデータを解析するための解析プログラムや、印刷処理および切断処理を行うための印刷／切断処理プログラムなどが含まれる。
【００３３】
以上のように構成されたラベル作成システム１において、ユーザーが、パソコン２のディスプレイ１０に表示された編集画面３２等において印刷画像を編集し、プリントダイアログ３６において印刷部数等を設定した後、印刷実行を指示すると、パソコン２では、プリンタードライバー１３がラベルデータを生成し、生成したラベルデータがパソコン側インターフェース１８から送信される。ラベル作成装置３では、制御部２９が、受信したラベルデータに基づいて、送りモーター２４および印刷ヘッド２５を駆動制御する。これにより、プラテンローラーおよび印刷ヘッド２５が協働して、カートリッジ１４からテープ状部材５を繰り出して送りながら、テープ状部材５に対して印刷を行う。また、制御部２９は、ラベルデータに基づいて、カッターモーター２７を駆動制御する。これにより、テープカッター２６が、送られてきたテープ状部材５の印刷済み部分を切り離す。このようにして、ラベル作成装置３は、所望の印刷画像が印刷されたラベルＬを作成する。
【００３４】
続いて、ラベル作成システム１が行う流し込み印刷について説明する。流し込み印刷とは、複数個の個別情報から成る情報リスト３１から順次読み出された各個別情報に基づいた複数種の印刷画像を印刷してラベルＬを作成するものである。
【００３５】
図３ないし図５を参照して、ラベル作成装置３が流し込み印刷を行い、複数種の印刷画像についてそれぞれ複数部ずつラベルＬを作成する場合について、具体的に説明する。ここでは、２人の名前（２個の個別情報）から成る情報リスト３１から、各人の名前が印刷されたラベルＬを２部ずつ作成するものとする。
【００３６】
まず、ユーザーからの所定の操作に基づいて、パソコン２のディスプレイ１０が、編集画面３２およびデータ作成画面３３を表示する（図３参照）。編集画面３２には、ラベルＬのイメージであるラベル画像３４などが表示される。データ作成画面３３には、流し込み用の情報リスト３１が表示される。ユーザーは、データ作成画面３３において、個別情報（名前）を入力し、情報リスト３１を作成する。情報リスト３１の各個別情報は、「姓」が入力されたＡ列と、「名」が入力されたＢ列とから構成されている。なお、他のアプリケーションで作成した「.xls形式」や「.csv形式」等のデータを利用することも可能である。
【００３７】
次に、ユーザーが、情報リスト３１を構成するＡ列およびＢ列のうち、ラベルＬに流し込みたい列のアイコン（列アイコン３５）をドラッグし、編集画面３２に表示されたラベル画像３４の任意の位置に移動する。これにより、情報リスト３１の各列の個別情報が、列アイコン３５を移動した位置に流し込まれる。
【００３８】
続いて、ユーザーが所定の操作（例えば、印刷アイコンをクリック）を行うと、ディスプレイ１０が、プリントダイアログ３６を表示する（図４（ａ）参照）。プリントダイアログ３６には、印刷部数を設定するための印刷部数設定領域３７、流し込み印刷に関する設定を行うための流し込み印刷設定領域３８、貼り合わせ印刷に関する設定を行うための貼り合わせ印刷設定領域３９、後述する流し込み順序印刷や貼り合わせ順序印刷に関する設定を行うための順序印刷設定領域４１などが設けられている。また、順序印刷設定領域４１には、後述する流しボックス４３および貼り合わせボックス４４の状態に応じて、ラベルＬが印刷される順番を指標する順番画像４２が選択的に表示される。
【００３９】
流し込み印刷設定領域３８には、データ作成画面３３に表示された情報リストに基づいて流し込み印刷を行うか否かを設定するチェックボックス、および流し込み印刷を行う場合に、情報リスト３１のすべての候補を印刷するか、データ作成画面３３において選択された候補のみを印刷するか、を設定する選択ボタンが設けられている。また、貼り合わせ印刷設定領域３９には、貼り合わせ印刷を行う場合に、分割された画像の一部のみを印刷する場合の設定を行うチェックボックスおよび選択ボタンが設けられている。例えば、２つに分割された画像の上分割画像のみを印刷したい場合は、チェックボックスをチェック状態にして、「１」のボタンを選択すればよい。
【００４０】
ここでは、各個別情報（各人の名前）につき２部ずつ印刷するため、印刷部数設定領域３７において印刷部数を「２」に設定する。印刷部数が「２」以上に設定されると、順序印刷設定領域４１において、「流し込み」のチェックボックス（流しボックス４３）がチェック可能となる。なお、ここでは、貼り合わせ印刷は設定されていないため、「貼り合わせ印刷」のチェックボックス（貼り合わせボックス４４）はグレイアウト状態（図では破線で示す）となっている。
【００４１】
ユーザーが、流しボックス４３をチェック状態にすると、順序印刷設定領域４１には、流し順序印刷に対応した順番画像４２が表示される。そして、ユーザーが「ＯＫ」をクリックして印刷実行を指示すると、プリンタードライバー１３は、ラベル作成装置３が流し順序印刷を行うように、ラベルデータを作成する。そして、ラベル作成装置３が、ラベルデータに基づき、流し込み印刷によりそれぞれ２部印刷される２種の印刷画像（「ＳＡＴＯＨ  ＩＣＨＩＲＯＨ」および「ＳＵＺＵＫＩ  ＨＡＮＡＫＯ」）に関して、２種の印刷画像を一纏まりとした順番で印刷する流し順序印刷を行う。すなわち、作成される４枚のラベルＬは、「ＳＡＴＯＨ  ＩＣＨＩＲＯＨ」、「ＳＵＺＵＫＩ  ＨＡＮＡＫＯ」、「ＳＡＴＯＨ  ＩＣＨＩＲＯＨ」、「ＳＵＺＵＫＩ  ＨＡＮＡＫＯ」の順となる（図４（ｂ）参照）。
【００４２】
一方、流しボックス４３を非チェック状態にすると、順序印刷設定領域４１には、流し非順序印刷に対応した順番画像４２が表示される（図５（ａ）参照）。そして、ユーザーが「ＯＫ」をクリックすると、プリンタードライバー１３は、ラベル作成装置３が流し非順序印刷を行うように、ラベルデータを作成する。そして、ラベル作成装置３が、ラベルデータに基づき、流し込み印刷によりそれぞれ２部印刷される２種の印刷画像に関して、同じ印刷画像を２部ずつ一纏まりとした順番で印刷する流し非順序印刷を行う。すなわち、作成される４枚のラベルＬは、「ＳＡＴＯＨ  ＩＣＨＩＲＯＨ」、「ＳＡＴＯＨ  ＩＣＨＩＲＯＨ」、「ＳＵＺＵＫＩ  ＨＡＮＡＫＯ」、「ＳＵＺＵＫＩ  ＨＡＮＡＫＯ」の順となる（図５（ｂ）参照）。
【００４３】
続いて、ラベル作成装置３が行う貼り合わせ印刷について説明する。貼り合わせ印刷とは、テープ状部材５のテープ幅より大きな印刷画像を、テープ幅方向に複数分割した分割印刷画像としてテープ状部材５に印刷するものであり、拡大印刷ともいう。ユーザーは、分割印刷画像が印刷された複数枚のラベルＬを貼り合わせることで、複数倍の幅のラベルＬを得ることができる。
【００４４】
図６ないし図９を参照して、ラベル作成装置３が貼り合わせ印刷を行い、複数分割されたラベルＬを複数部ずつ作成する場合について、具体的に説明する。ここでは、印刷画像「ＳＡＴＯＨ  ＩＣＨＩＲＯＨ」が２分割されたラベルＬを２部ずつ作成するものとする。
【００４５】
まず、ユーザーからの所定の操作に基づいて、パソコン２のディスプレイ１０が、新規作成画面４５を表示する（図６参照）。新規作成画面４５には、テープ状部材５のテープ幅に関する設定をするためのテープ幅設定領域４６、テープ長を設定するためのテープ長設定領域４７、余白を設定するための余白設定領域４８などが設けられている。ユーザーは、新規作成画面４５のテープ幅設定領域４６において、「テープ幅」および「倍率」を設定する。「倍率」の項目では、印刷画像をテープ幅方向に分割したい数、すなわち、貼り合わせたいテープ状部材５の枚数を設定する。
【００４６】
ユーザーが、新規作成画面４５において「倍率」として「２」を設定し、「ＯＫ」をクリックすると、ディスプレイ１０が、編集画面３２を表示する。編集画面３２には、設定された「倍率」に基づいて、２枚のラベルＬを貼り合わせた態様のラベル画像３４が表示される（図７（ａ）参照）。ユーザーが、「ＳＡＴＯＨ  ＩＣＨＩＲＯＨ」と入力すると、編集画面３２には、印刷画像「ＳＡＴＯＨ  ＩＣＨＩＲＯＨ」が２枚のラベルＬに分割されたラベル画像３４が表示される（図７（ｂ）参照）。
【００４７】
続いて、ユーザーが所定の操作を行うと、ディスプレイ１０が、プリントダイアログ３６を表示する。ここでは、２分割されたラベルＬを２部ずつ印刷するため、印刷部数設定領域３７において印刷部数を「２」に設定する。印刷部数が「２」以上に設定されると、順序印刷設定領域４１において、貼り合わせボックス４４がチェック可能となる。なお、ここでは、流し込み印刷は設定されていないため、流しボックス４３はグレイアウト状態となっている。
【００４８】
ユーザーが、貼り合わせボックス４４をチェック状態にすると、順序印刷設定領域４１には、貼り合わせ順序印刷に対応した順番画像４２が表示される（図８（ａ）参照）。そして、ユーザーが「ＯＫ」をクリックすると、プリンタードライバー１３は、ラベル作成装置３が貼り合わせ順序印刷を行うように、ラベルデータを作成する。そして、ラベル作成装置３が、ラベルデータに基づき、貼り合わせ印刷により２部ずつ印刷される２個の分割印刷画像（上分割画像および下分割画像）に関して、２個の分割印刷画像を一纏まりとした順番で印刷する貼り合わせ順序印刷を行う。すなわち、作成される４枚のラベルＬは、上分割画像、下分割画像、上分割画像、下分割画像の順となる（図８（ｂ）参照）。
【００４９】
一方、貼り合わせボックス４４を非チェック状態にすると、順序印刷設定領域４１には、貼り合わせ非順序印刷に対応した順番画像４２が表示される（図９（ａ）参照）。そして、ユーザーが「ＯＫ」をクリックすると、プリンタードライバー１３は、ラベル作成装置３が貼り合わせ非順序印刷を行うように、ラベルデータを作成する。そして、ラベル作成装置３が、ラベルデータに基づき、貼り合わせ印刷により２部ずつ印刷される２個の分割印刷画像に関して、同じ分割印刷画像を２部ずつ一纏まりとした順番で印刷が行われる。すなわち、作成される４枚のラベルＬは、上分割画像、上分割画像、下分割画像、下分割画像の順となる（図９（ｂ）参照）。
【００５０】
ここまでは、ラベル作成装置３が流し込み印刷および貼り合わせ印刷を個々に行う場合について説明してきたが、さらに、ラベル作成装置３が流し込み印刷と貼り合わせ印刷とを同時に行って、複数種の印刷画像についてそれぞれ複数分割されたラベルＬを、複数部ずつ作成する場合について説明する。以下では、上記の情報リスト３１に基づいて流し込み印刷を行うと共に、印刷画像を２分割した貼り合わせ印刷を行って、２種の印刷画像についてそれぞれ２分割されたラベルＬを２部ずつ作成するものとする。
【００５１】
ユーザーは、上記と同様にして、新規作成画面４５において「倍率」を「２」に設定すると共に、データ作成画面３３において情報リスト３１を作成し、情報リスト３１中の列アイコン３５を、編集画面３２に表示されたラベル画像３４に移動する。
【００５２】
続いて、ユーザーからの所定の操作に基づいて、ディスプレイ１０が、プリントダイアログ３６を表示する。ここでは、２種の印刷画像についてそれぞれ２分割されたラベルＬを２部ずつ作成するため、印刷部数設定領域３７において印刷部数を「２」に設定する。
【００５３】
図１０に示すように、ユーザーが、流しボックス４３をチェック状態にすると共に、貼り合わせボックス４４をチェック状態にすると、順序印刷設定領域４１には、流し順序印刷且つ貼り合わせ順序印刷に対応した順番画像４２が表示される（図１０（ａ）参照）。そして、ユーザーが「ＯＫ」をクリックすると、プリンタードライバー１３は、ラベル作成装置３が流し順序印刷且つ貼り合わせ順序印刷を行う第１印刷処理を実施するように、ラベルデータを作成する。そして、ラベル作成装置３が、ラベルデータに基づき、流し込み印刷によりそれぞれ２部印刷される２種の印刷画像に関して、２種の印刷画像を一纏まりとした順番で印刷が行われると共に、貼り合わせ印刷により２部ずつ印刷される２個の分割印刷画像に関して、２個の分割印刷画像を一纏まりとした順番で印刷する第１印刷処理を行う（図１０（ｂ）参照）。
【００５４】
換言すれば、第１印刷処理による印刷の順番は、１組目（１枚目と２枚目）、２組目（３枚目と４枚目）、３組目（５枚目と６枚目）および４組目（７枚目と８枚目）のラベルＬについてみると、「ＳＡＴＯＨ  ＩＣＨＩＲＯＨ」、「ＳＵＺＵＫＩ  ＨＡＮＡＫＯ」、「ＳＡＴＯＨ  ＩＣＨＩＲＯＨ」、「ＳＵＺＵＫＩ  ＨＡＮＡＫＯ」の順となっており、上記の流し順序印刷と同じ順である。また、同じ印刷画像「ＳＡＴＯＨ  ＩＣＨＩＲＯＨ」が印刷された１枚目、２枚目、５枚目、６枚目のラベルＬについてみると、上分割画像、下分割画像、上分割画像、下分割画像の順となっており、上記の貼り合わせ順序印刷と同じ順である。これは、同じ印刷画像「ＳＵＺＵＫＩ  ＨＡＮＡＫＯ」が印刷された３枚目、４枚目、７枚目、８枚目のラベルＬについても同様である。
【００５５】
図１１に示すように、ユーザーが、流しボックス４３を非チェック状態にすると共に、貼り合わせボックス４４をチェック状態にすると、順序印刷設定領域４１には、流し非順序印刷且つ貼り合わせ順序印刷に対応した順番画像４２が表示される（図１１（ａ）参照）。そして、ユーザーが「ＯＫ」をクリックすると、プリンタードライバー１３は、ラベル作成装置３が流し非順序印刷且つ貼り合わせ順序印刷を行う第２印刷処理を実施するように、ラベルデータを作成する。そして、ラベル作成装置３が、ラベルデータに基づき、流し込み印刷によりそれぞれ２部印刷される２種の印刷画像に関して、同じ印刷画像を２部ずつ一纏まりとした順番で印刷が行われると共に、貼り合わせ印刷により２部ずつ印刷される２個の分割印刷画像に関して、２個の分割印刷画像を一纏まりとした順番で印刷する第２印刷処理を行う（図１１（ｂ）参照）。
【００５６】
図１２に示すように、ユーザーが、流しボックス４３をチェック状態にすると共に、貼り合わせボックス４４を非チェック状態にすると、順序印刷設定領域４１には、流し順序印刷且つ貼り合わせ非順序印刷に対応した順番画像４２が表示される（図１２（ａ）参照）。そして、ユーザーが「ＯＫ」をクリックすると、プリンタードライバー１３は、ラベル作成装置３が流し順序印刷且つ貼り合わせ非順序印刷を行う第３印刷処理を実施するように、ラベルデータを作成する。そして、ラベル作成装置３が、ラベルデータに基づき、流し込み印刷によりそれぞれ２部印刷される２種の印刷画像に関して、２種の印刷画像を一纏まりとした順番で印刷が行われると共に、貼り合わせ印刷により２部ずつ印刷される２個の分割印刷画像に関して、同じ分割印刷画像を２部ずつ一纏まりとした順番で印刷する第３印刷処理を行う（図１２（ｂ）参照）。
【００５７】
図１３に示すように、ユーザーが、流しボックス４３を非チェック状態にすると共に、貼り合わせボックス４４を非チェック状態にすると、順序印刷設定領域４１には、流し非順序印刷且つ貼り合わせ非順序印刷に対応した順番画像４２が表示される（図１３（ａ）参照）。そして、ユーザーが「ＯＫ」をクリックすると、プリンタードライバー１３は、ラベル作成装置３が流し非順序印刷且つ貼り合わせ非順序印刷を行う第４印刷処理を実施するように、ラベルデータを作成する。そして、ラベル作成装置３が、ラベルデータに基づき、流し込み印刷によりそれぞれ２部印刷される２種の印刷画像に関して、同じ印刷画像を２部ずつ一纏まりとした順番で印刷が行われると共に、貼り合わせ印刷により２部ずつ印刷される２個の分割印刷画像に関して、同じ分割印刷画像を２部ずつ一纏まりとした順番で印刷する第４印刷処理を行う（図１３（ｂ）参照）。
【００５８】
以上のように、本実施形態のラベル作成システム１によれば、流し込み印刷によりそれぞれ複数部ずつ印刷される複数種の印刷画像に関しては、同じ印刷画像を複数部ずつ一纏まりとした順番で印刷する流し非順序印刷を、ラベル作成装置３が行うように、ラベルデータを生成することが可能である。このため、流し込み印刷に関して同じ印刷画像が一纏まりとなった順番で印刷されたラベルＬを得ることができる。さらに、プリントダイアログ３６において、流し込み印刷を設定すると共に、新規作成画面４５において、貼り合わせ印刷を設定した場合にも、流し込み印刷に関して同じ印刷画像が一纏まりとなった順番で印刷されたラベルを得ることができる。
【００５９】
また、ディスプレイ１０が表示するプリントダイアログ３６において、流し順序印刷および流し非順序印刷のいずれかをユーザーに選択させると共に、貼り合わせ順序印刷および貼り合わせ非順序印刷のいずれかをユーザーに選択させ、その選択結果に基づいて、４種の印刷処理のなかの１種の印刷処理をラベル作成装置３が実行するように、ラベルデータを作成する。このため、ユーザーが、場合に応じて、流し順序印刷および流し非順序印刷のいずれかを選択すると共に、貼り合わせ順序印刷および貼り合わせ非順序印刷のいずれかを選択でき、その選択結果に応じた順番で印刷されたラベルＬを得ることができる。
【００６０】
さらに、プリントダイアログ３６における選択結果に基づいて、４種の印刷処理にそれぞれ対応した４種の順番画像４２がプリントダイアログ３６に選択的に表示される。これにより、ユーザーが、プリントダイアログ３６における選択の結果、どのような順番でラベルＬが印刷されるのかを、容易に把握することができる。
【００６１】
なお、本実施形態では、データ生成装置としてパソコン２を例に挙げたが、スマートフォンやタブレット端末などの他の情報処理装置を用いてもよい。また、本実施形態では、ラベル作成システム１として、パソコン２が生成したラベルデータをたラベル作成装置３に送信する構成を採用したが、これに限定されるものではなく、スタンドアロンで画像編集から印刷／切断処理まで行うラベル作成装置３により、ラベル作成システム１を構成してもよい。
【符号の説明】
【００６２】
１：ラベル作成システム、２：パソコン、３：ラベル作成装置、５：テープ状部材
【図１】
2014206859.tif 000003
【図２】
2014206859.tif 000004
【図３】
2014206859.tif 000005
【図４】
2014206859.tif 000006
【図５】
2014206859.tif 000007
【図６】
2014206859.tif 000008
【図７】
2014206859.tif 000009
【図８】
2014206859.tif 000010
【図９】
2014206859.tif 000011
【図１０】
2014206859.tif 000012
【図１１】
2014206859.tif 000013
【図１２】
2014206859.tif 000014
【図１３】
2014206859.tif 000015